(57)【特許請求の範囲】
【請求項１】
動作部の動作を規定するパラメータの現在値と、該現在値を一時的に調整するための補助値とを記憶した記憶部と、
エディットモードのオンオフを切り替える切り替え部と、
前記現在値の変更指示に応じて、前記現在値を変更するとともに、前記エディットモード中の場合は、当該変更指示を前記補助値にも反映させる変更制御部
を備えるパラメータ設定装置。
【発明の詳細な説明】
【技術分野】
【０００１】
この発明は、信号処理の動作を規定するパラメータの値を設定するパラメータ設定装置に関し、詳しくは、該パラメータの現在値を補助値により一時的に調整する機能を備えたパラメータ設定装置に関する。
【背景技術】
【０００２】
従来、複数チャンネルのオーディオ信号に対する信号処理を専らデジタル処理により行うデジタルミキシングコンソール（以下単に「ミキサ」ともいう）において、信号処理の動作を規定する複数のパラメータの値を１セットとする「シーンデータ」を複数記憶しておき、複数の前記シーンデータのうち１つを読み出して、該読み出されたシーンデータを、パラメータの現在値として一括設定するシーン機能があった。実際にシーン機能を使う場面においては、例えば会場の環境、演奏家のコンディション、マイク位置の変化など、様々な状況に応じて、シーンデータに含まれるパラメータの値を一時的に調整して、調整後の値を現在値とする必要が生じることがある。この点について、従来、現在値にオフセット値を加算して、加算後の値を新たな現在値とする機能があった（例えば、下記特許文献１を参照）。
【０００３】
特許文献１は、読み出されたシーンデータに含まれるパラメータの値を操作する入力／表示装置（特許文献１の符号７）、オフセット値を操作する入力／表示装置（特許文献１の符号８）、及び、オフセット値加算後の現在値を操作する入力／表示装置（特許文献１の符号１１）をそれぞれ備えることを記載している。オフセット値加算後の現在値を操作する入力／表示装置（特許文献１の符号１１）により現在値が変更された場合、変更後の新たな現在値と読み出されたシーンデータに含まれるパラメータの値との差分が新たなオフセット値として記録される。しかし、この構成では、複数の入力／表示装置を使い分ける必要があり、値変更操作に手間がかかる。オフセット値を使った現在値の調整機能を利用する場合、例えば、オフセット値、該オフセット値加算後の現在値、又は、該オフセット値加算前の現在値の何れが値変更指示に応じた変更対象となるのかなど、オペレータにとって考慮すべき要素が多い。そのため、操作の方法が煩雑であると、オペレータに混乱を招く恐れがある。
【０００４】
また、非特許文献１には、オフセット値の設定方法として、ディスプレイに設定画面を表示し、表示された画面でオフセット値を設定することが記載されている。この場合、目的の設定画面が表示されるまでに、画面を切り替える操作を複数回行う必要があり面倒である。また、その設定画面はオフセット値の数値を直接入力するように構成されているので、オペレータは画面で設定されたオフセット値を現在値に加算した結果がどうなるのか直感的にわかりにくい。
【先行技術文献】
【特許文献】
【０００５】
【特許文献１】特開平０９−８３２７３号公報
【非特許文献】
【０００６】
【非特許文献１】「ＹＡＭＡＨＡ  ＤＩＧＩＴＡＬ  ＭＩＸＩＮＧ  ＣＯＮＳＯＬＥ  ＰＭ５Ｄ／ＰＭ５ＤＲＨ取扱説明書」、[ｏｎｌｉｎｅ]、ヤマハ株式会社、２００４年、［平成２６年１０月２９日検索］、インターネット〈URL: http://www2.yamaha.co.jp/manual/pdf/pa/japan/mixers/PM5DJ1.pdf〉
【発明の概要】
【発明が解決しようとする課題】
【０００７】
この発明は、上述の点に鑑みてなされたもので、動作部の動作を規定するパラメータの現在値を一時的に調整するための補助値を、手間をかけず簡単に変更できるようにしたパラメータ設定値を提供することを目的とする。
【課題を解決するための手段】
【０００８】
この発明は、動作部の動作を規定するパラメータの現在値と、該現在値を一時的に調整するための補助値とを記憶した記憶部と、エディットモードのオンオフを切り替える切り替え部と、前記現在値の変更指示に応じて、前記現在値を変更するとともに、前記エディットモード中の場合は、当該変更指示を前記補助値にも反映させる変更制御部を備えるパラメータ設定装置である。
【０００９】
この発明に係るパラメータ設定装置は、現在値の変更指示に応じて、前記現在値を変更するとともに、前記エディットモード中の場合は、当該変更指示を前記補助値にも反映させる変更制御部を備えているので、エディットモード中は、現在値を変更する指示に応じて現在値とともに補助値も変更できる。一方、エディットモードでない場合は、現在値を変更する指示に応じて現在値のみが変更され、補助値は変更されない。このため、エディットモードオンオフ切り替えという簡単な操作を行うだけで、現在値を変更するための操作子を使って補助値を変更できるようになる。したがって、オペレータは、あたかもパラメータの現在値を変更しているかのような操作感覚で、現在の状況に合わせた補助値を決定することができる。また、現在値の変更と補助値の変更とで操作子を使い分ける必要が無い。
【発明の効果】
【００１０】
この発明に係るパラメータ設定装置によれば、動作部の動作を規定するパラメータの現在値を一時的に調整するための補助値を、手間をかけず簡単に変更できるという優れた効果を奏する。
【図面の簡単な説明】
【００１１】
【図１】本発明に係るパネル設定装置における値変更指示に応じた動作の一例を説明するフローチャート。
【図２】本発明に係るパネル設定装置の記憶部に記憶される現在値と補助値とを説明するための概念図。
【図３】本発明のパラメータ設定装置を適用したミキシングコンソールの電気的ハードウェア構成例を示すブロック図。
【図４】図１に示すミキシングコンソールにおける信号処理機能の構成例を示すブロック図。
【図５】図１に示すミキシングコンソールにおける操作パネルの構成例を示す図。
【図６】値変更操作に応じたパラメータ値の推移例。
【図７】オーバレイモード開始操作に応じた処理例を示すフローチャート。
【図８】エディットモード開始操作に応じた処理例を示すフローチャート。
【図９】エディットモード終了操作に応じた処理例を示すフローチャート。
【図１０】オーバレイモード終了操作に応じた処理例を示すフローチャート。
【図１１】エディットモード中にディスプレイに表示される設定画面例を示す図。
【図１２】別の実施形態に係る、現在値と補助値のデータ保持形式を説明する図。
【発明を実施するための形態】
【００１２】
以下、添付図面を参照して、この発明の一実施形態について詳細に説明する。
【００１３】
図１は、本発明に係るパラメータ設定装置における値変更処理の一例を説明するフローチャートを示す。パラメータ設定装置は、動作部の動作を規定するパラメータの現在値と、該現在値を一時的に調整するための補助値とを記憶した記憶部と、エディットモードのオンオフを切り替える切り替え部と、前記現在値の変更指示に応じて、前記現在値を変更するとともに、前記エディットモード中の場合は、当該変更指示を前記補助値にも反映させる変更制御部とを具備している。オペレータによりパラメータの現在値を変更する指示が行われたとき、パラメータ設定装置は、後述する「オーバレイモード」中かどうか（ステップＳ１）を判定し、オーバレイモード中の場合（ステップＳ１のＹＥＳ）、前記エディットモード中かどうかを判定し（ステップＳ２）、エディットモード中の場合（ステップＳ２のＹＥＳ）、現在値の変更指示に応じて、現在値を変更するとともに、該現在値の変更指示を補助値にも反映させる（ステップＳ３）。該ステップＳ３において現在値と補助値とを変更する方法は、例えば、記憶部に記憶された現在値と補助値とを別々に変更する方法でもよいし、或いは、記憶部に記憶された補助値を変更し、補助値の変更を現在値に反映させる形で該記憶部に記憶された現在値を変更する方法でもよいし、或いは、記憶部に記憶された現在値を変更し、現在値の変更を補助値に反映させる形で記憶部に記憶された補助値を変更する方法でもよい。一方、前記エディットモード中でない場合（ステップＳ２のＮＯ）、パラメータ設定装置は、当該変更指示に応じて現在値のみを変更し、補助値を変更しない（ステップＳ４）。ステップＳ３、Ｓ４の動作が変更制御部に相当する。
【００１４】
図２は、記憶部に記憶された現在値と、補助値とを説明するための概念図を示す。図２に示す通り、記憶部には、現在値１００と補助値１１０とがそれぞれ独立に記憶される。「オーバレイモード」中、現在値１００には、補助値１１０が加味されている。図２において、現在値１００に加味されている補助値１１０を一点鎖線で示す。「オーバレイモード」を開始した際、補助値１１０が正の値の場合、現在値１００に補助値１１０が加算されることで、現在値１００は補助値１１０の分だけ増加する。補助値１１０が負の値の場合、現在値１００から補助値１１０が減算（すなわち現在値１００に負の値が加算）されることで、現在値１００は補助値１１０の分だけ減少する。「オーバレイモード」を終了すると、現在値１００は、補助値１１０を加味しない値、すなわち補助値１１０による補助のない値に戻る。さらに「エディットモード」中であれば、例えば、現在値を「Δｘ」だけ変更する指示があった場合、記憶部に記憶された現在値１００が「Δｘ」だけ変更されるとともに、記憶部に記憶された補助値１１０も「Δｘ」だけ変更される。
【００１５】
次に、この発明に係るパラメータ設定装置をミキシングコンソール（以下、ミキサという）に適用した実施形態について説明する。図３は、この発明に係るパラメータ設定装置を適用したミキサの電気的ハードウェア構成例を示す。ミキサ１０は、中央処理装置（ＣＰＵ）１１、メモリ１２、表示部１３、操作部１４、信号処理部１５（ＭＩＸ部）、オーディオインターフェース（オーディオＩ／Ｏ）１６を備える。各部１１〜１６は、通信バス１７を介して接続され、ＣＰＵ１１と各部１２〜１６との間で各種制御信号を通信できる。また、ＭＩＸ部１５はオーディオＩ／Ｏ１６を介してマイクロフォンや再生装置等の入力機器、あるいはアンプやスピーカ等の出力機器との間でアナログオーディオ信号あるいはデジタルオーディオ信号を入力または出力できる。更に、ミキサ１０は、例えばＵＳＢインターフェース等、その他インターフェース（その他Ｉ／Ｏ）１８を備えてよい。
【００１６】
ＣＰＵ１１は、メモリ１２に記憶された各種のプログラムを実行して、ミキサ１０の全体動作を制御する。メモリ１２は、ＣＰＵ１１が実行する各種のプログラムや各種のデータなどを不揮発に格納するほか、ＣＰＵ１１が実行するプログラムのロード領域やワーク領域に使用される。メモリ１２のワーク領域には、ミキサ１０に備わる複数のチャンネルのそれぞれに対応して、チャンネル毎の信号処理の動作を規定する複数のパラメータの現在値（図２の符号１００）と、該現在値それぞれに対応する複数の補助値（図２の符号１１０）とをそれぞれ独立に記憶する。パラメータの現在値は、ＭＩＸ部１５が実行する信号処理で現在使われている値である。補助値は、それぞれ対応するパラメータの現在値に一時的に加算され、該対応する現在値を一時的に調整又は補助するための値である。メモリ１２は、リードオンリーメモリ、ランダムアクセスメモリ、フラッシュメモリあるいはハードディスク等の各種メモリ装置を適宜組み合わせ構成してよい。
【００１７】
表示部１３は、ディスプレイ（図５の符号３４）および関連するインターフェース回路等であり、ＣＰＵ１１から与えられた表示制御信号に基づく各種情報を、各種画像や文字列等により表示する。操作部１４は、複数のチャンネルストリップ（チャンネル単位の操作部）毎に設けられたフェーダ操作子を含む操作子群（図５の符号３０〜３５）および関連するインターフェース回路等である。オペレータは、操作部１４の各種操作子を用いて各種パラメータの設定や変更のための操作を行う。ＣＰＵ１１は、オペレータによる操作部１４の操作に応じた検出信号を取得して、検出信号に基づいてミキサ１０の動作を制御する。操作部１４に含まれるフェーダ操作子は、例えば、つまみ部の位置がＣＰＵ１１により自動制御される電動フェーダにより構成される。
【００１８】
ＭＩＸ部１５は、例えばＤＳＰ（Digital Signal Processor）や、ＣＰＵ３１およびメモリ３２に記憶されたソフトウェアにより仮想的に実現された信号処理装置で構成する。ＭＩＸ部１５は、信号処理用のプログラムを実行することにより、オーディオＩ／Ｏ１６を介して図示しない入力機器から供給された１又は複数系統のオーディオ信号を信号処理して、該処理したオーディオ信号を、オーディオＩ／Ｏ１６を介して図示しない出力機器へ出力する。ＭＩＸ部１５が実行する信号処理は、複数系統のオーディオ信号を混合するミキシング処理を含む。この信号処理は、メモリ１２に記憶された複数のパラメータの現在値に基づいて制御される。なお、ＭＩＸ部１５は、ミキサ１０に内蔵されたものに限らず、例えばその他Ｉ／Ｏ１８を介して外部接続されたものであってもよい。
【００１９】
図４は、ミキサ１０の信号処理機能の構成を説明するブロック図を示す。図４に示す各要素の動作は、専らＭＩＸ部１５によるデジタル信号処理により実行される。ミキサ１０は、複数の入力チャンネル（図４の例ではチャンネル番号「１」〜「１２８」の１２８チャンネル）からなる入力チャンネル部２０を具備している。各入力チャンネルは、それぞれ対応付けられた入力ポート（図示略）からのオーディオ信号を受け取って、入力チャンネルの各種パラメータの値に基づく信号処理を行い、該処理済みのオーディオ信号をＭＩＸバス２２（図４の例ではバス番号「１」〜「９６」の９６本のバスライン）に出力する（すべてのバスラインに出力してもよいし、選択的に出力してもよい）。また、ミキサ１０は、複数の出力チャンネル（図４の例ではチャンネル番号「１」〜「９６」の９６チャンネル）からなる出力チャンネル部２４を具備しており、各出力チャンネルはＭＩＸバス２２の何れか１つのバスラインに対応付けられている。各出力チャンネルは、対応付けられたバスラインから出力されたオーディオ信号に対して、チャンネル毎の各種パラメータの値に基づく信号処理を行う。各入力チャンネル及び出力チャンネルの行う各種信号処理は、例えば、メモリ１２に記憶された各種パラメータの現在値に従った音量レベルの調整、イコライジング、パン、各種エフェクト等である。
【００２０】
図５は、ミキサの操作パネルの構成例を示す。ミキサ１０の操作パネルには、複数のチャンネルストリップ３０毎に設けられたフェーダ操作子３１や、ボタンスイッチ３２、ノブ型操作子３３など、パラメータの値変更操作を行うための操作子群が備わる。なお、図５では、１つのチャンネルストリップ３０及びそこに設けられた操作子群に対してのみ符号を付与する。
【００２１】
各チャンネルストリップ３０には、複数のチャンネルのうち１つのチャンネルが割り当てられる。ＣＰＵ１１は、メモリ１２に記憶されたチャンネル毎の各パラメータの現在値に基づき、各チャンネルストリップ３０のフェーダ操作子３１等の操作子群のそれぞれに、対応するパラメータの現在値を、操作対象として割り当てる。例えば、フェーダ操作子３１には、音量レベルの現在値が割り当てられる。各フェーダ操作子３１のつまみ位置は、それぞれに対応するパラメータ（例えば音量レベル）の現在値を表す。
【００２２】
複数のチャンネルストリップ３０の配置された区画の右隣には、オーバレイモードのオンオフを指示するオーバレイモードスイッチ３５が具備される。オーバレイモードスイッチ３５は、例えば、１回の押し下げ操作毎にオーバレイモードのオンオフ状態を切り替える。オーバレイモードは、メモリ１２に記憶された各パラメータの現在値に対して、それぞれ対応する補助値を加算することにより、各パラメータの現在値を状況に応じて一時的に調整又は補助する動作モードである。
【００２３】
この実施例では、オーバレイモード中に、オーバレイモードスイッチ３５を長押し操作（スイッチ３５を押し下げ操作した状態を少しの間維持する操作）することにより、前記エディットモードのオンが指示される。また、エディットモード中に、オーバレイモードスイッチ３５が押し下げ操作されると、当該エディットモードのオフが指示される。エディットモードは、パラメータの現在値を変更する操作に応じて、その現在値を変更するとともに、その現在値に対応する補助値も変更する動作モードである。この実施形態では、オーバレイモードスイッチ３５と、ＣＰＵ１１が実行する後述の図８のステップＳ７及び図９のステップＳ８の処理とが、エディットモードのオンオフを切り替える切り替え部に相当する。
【００２４】
また、ミキサ１０の操作パネルには、ＬＣＤ又はＬＥＤからなるディスプレイ３４（表示部１３）が備わる。ディスプレイ３４は、ＣＰＵ１１の制御に基づき、各種画面を表示することができる。
【００２５】
図６は、オペレータによる操作パネルの操作に応じたパラメータ現在値と補助値の遷移例を示す。図６では、複数のチャンネル（図において「ｃｈ１」、「ｃｈ２」、「ｃｈ３」、「ｃｈ４」・・・）について、フェーダ操作子３１に割り当てられた音量レベルの値を調整する場合が想定されている。オーバレイモードの開始前の各チャンネルの音量レベルの現在値は「ａ」、各チャンネルの該音量レベルに対する補助値は「ｂ」で表す。図６において縦方向ｔは時間経過を示す。オーバレイモードの開始前の段階では、操作パネル上の各チャンネルストリップ３０のフェーダ操作子３１のつまみ部の位置は、現在値「ａ」を表す。
【００２６】
まず、オーバレイモードスイッチ３５の押し下げ操作によりオーバレイモードオンが指示された場合、ＣＰＵ１１は、図７に示す処理を起動する。ＣＰＵ１１は、ステップＳ５において、例えばオーバレイモードフラグをオンにセットすることより、オーバレイモード中であることをセットして、オーバレイモードを開始する。ステップＳ６において、ＣＰＵ１１は、メモリ１２に記憶され各チャンネルの音量レベルの現在値「ａ」に、それぞれ対応する補助値「ｂ」を加算する。これにより、図６の「オーバレイモード開始時の現在値」の欄に示す通り、メモリ１２に記憶された各チャンネル「ｃｈ１」、「ｃｈ２」、「ｃｈ３」、「ｃｈ４」・・・の音量レベルの現在値は、それぞれ対応する補助値が加算された後の値「ａ＋ｂ」に変更され、補助値により補助された状態となる。このとき、ＣＰＵ１１は、操作パネル上の各チャンネルストリップ３０のフェーダ操作子３１のつまみ部の位置を、値「ａ」の位置から値「ａ＋ｂ」の位置に移動する。
【００２７】
次に、「ｃｈ１」と「ｃｈ３」のフェーダ操作子３１がそれぞれ「＋ｃ」、「＋ｄ」分だけ操作されたとする（図６の「第１のフェーダ操作」）。フェーダ操作子３１の操作に応じて、ＣＰＵ１１は、前記図１に示す処理を起動する。この場合、オーバレイモード中（前記ステップＳ１のＹＥＳ）だが、エディットモード中ではない（前記ステップＳ２のＮＯ）ので、ＣＰＵ１１は、ステップＳ４において、「ｃｈ１」の音量レベルの現在値「ａ＋ｂ」を操作量「＋ｃ」分、また、「ｃｈ３」の音量レベルの現在値「ａ＋ｂ」を操作量「＋ｄ」分だけ変更する。結果、チャンネル「ｃｈ１」と「ｃｈ３」の音量レベルの現在値は、それぞれ「ａ＋ｂ＋ｃ」、「ａ＋ｂ＋ｄ」に変更される。このように、エディットモード中でない場合は、フェーダ操作子３１の操作に応じて、メモリ１２に記憶された音量レベルの現在値のみが変更され、メモリ１２に記憶された補助値は変更されない。
【００２８】
続いて、オーバレイモードスイッチ３５の長押し操作によりエディットモードのオンが指示されると（図６の「エディットモードオン」）、ＣＰＵ１１は、図８に示す処理を起動する。ＣＰＵ１１は、例えばエディットモードフラグをオンにセットすることよりエディットモード中であることをセットして、エディットモードを開始する（ステップＳ７）。
【００２９】
次に、エディットモード中に「ｃｈ２」と「ｃｈ４」のフェーダ操作子３１がそれぞれ「＋ｃ」、「＋ｄ」分だけ操作されたものとする（図６の「第２のフェーダ操作」）。「ｃｈ２」と「ｃｈ４」のフェーダ操作子３１の操作に応じて、ＣＰＵ１１は、前記図１に示す処理を起動する。この場合、オーバレイモード中（ステップＳ１のＹＥＳ）且つエディットモード中（ステップＳ２のＹＥＳ）であるため、ＣＰＵ１１は、図１のステップＳ３において、「ｃｈ２」の補助値「ｂ」を操作量「＋ｃ」分、また、「ｃｈ４」の補助値「ｂ」を操作量「＋ｄ」分だけ変更して、「ｃｈ２」、「ｃｈ４」の補助値をそれぞれ「ｂ＋ｃ」、「ｂ＋ｄ」に変更するとともに、これら補助値の変更に伴い、メモリ１２に記憶された「ｃｈ２」の音量レベルの現在値を「ａ＋ｂ＋ｃ」に、また、「ｃｈ４」の音量レベルの現在値を「ａ＋ｂ＋ｄ」にそれぞれ変更する（ステップＳ３）。このように、エディットモード中は、フェーダ操作子３１の操作に応じてメモリ１２に記憶された音量レベルの現在値が変更されるとともに、その現在値に対応する補助値も変更される。この場合、オペレータは、フェーダ操作子３１を使って「ｃｈ２」、「ｃｈ４」の音量レベルの現在値を現在の状況に合わせて適切な値に調整する操作を行うだけで、簡単に、「ｃｈ２」、「ｃｈ４」の補助値を現在の状況に合わせた値に変更できる。「ｃｈ２」、「ｃｈ４」のフェーダ操作子３１のつまみ位置は、それぞれ、オペレータによる操作によって、音量レベルの現在値「ａ＋ｂ＋ｃ」、「ａ＋ｂ＋ｄ」を示す位置に移動される。
【００３０】
エディットモード中にオーバレイモードスイッチ３５を押し下げ操作するとエディットモードのオフが指示される。エディットモードオフ指示に応じて、ＣＰＵ１１は、図９に示す処理を起動する。ＣＰＵ１１は、例えばエディットモードフラグをオフにセットすることより、エディットモード中でないことをセットして、エディットモードを終了する（ステップＳ８）。
【００３１】
オーバレイモード中、且つ、エディットモードでないときに、オーバレイモードスイッチ３５を押し下げ操作するとオーバレイモードのオフが指示される。オーバレイモードオフ指示に応じて、ＣＰＵ１１は、図１０に示す処理を起動する。ＣＰＵ１１は、ステップＳ９において、例えばオーバレイモードフラグをオフにセットすることにより、オーバレイモード中でないことをセットして、オーバレイモードを終了する。ステップＳ１０において、ＣＰＵ１１は、メモリ１２に記憶された各チャンネルの「ｃｈ１」、「ｃｈ２」、「ｃｈ３」、「ｃｈ４」・・・の現在値を、補助値を加味する以前の値に戻し、補助の無い値を新たな現在値とする。具体的には、ＣＰＵ１１は、「ｃｈ１」の現在値「ａ＋ｂ＋ｃ」から補助値「ｂ」を減算して、その現在値を「ａ＋ｃ」に変更し、また、「ｃｈ２」の現在値「ａ＋ｂ＋ｃ」から補助値「ｂ」を減算して、その現在値を「ａ」に変更し、「ｃｈ３」の現在値「ａ＋ｂ＋ｄ」から補助値「ｂ」を減算して、その現在値を「ａ＋ｄ」に変更し、また、「ｃｈ４」の現在値「ａ＋ｂ＋ｄ」から補助値「ｂ＋ｄ」を減算して、その現在値を「ａ」に変更する。このとき、ＣＰＵ１１は、上記の各チャンネルの現在値の変化に応じて、それぞれ対応するフェーダ操作子３１のつまみ部の位置を、変化後の現在値を表す位置へ移動する。
【００３２】
なお、オーバレイモードオフ中に、フェーダ操作子３１が操作された場合は、ＣＰＵ１１は、図１のステップＳ１をＮＯに分岐して、ステップＳ４において、該操作されたフェーダ操作子３１に該当するチャンネルの音量レベルの現在値のみを、変更する。この場合、補助値に変更はない。フェーダ操作子３１のつまみ位置は、それぞれ、オペレータによる操作によって、音量レベルの現在値を示す位置に移動される。
【００３３】
また、別の例において、前記ステップＳ７でエディトモードが開始されたとき、ＣＰＵ１１は、ディスプレイ３４（表示部１３）に、図１１に例示する設定画面を表示してもよい。図１１に例示する設定画面は、縦方向に複数のチャンネル名を配列し、横方向にチャンネル毎の複数のパラメータに対応する補助値を配列する。例えばチャンネル名「ＣＨ２」の音量レベル「ＦＡＤＥＲ」の補助値が変更された場合、符号４１のマスに示す値「７２．００」が変更される。
【００３４】
以上説明したミキサ１０の構成によれば、エディットモード中にチャンネルストリップ３０毎のフェーダ操作子３１を操作するだけで、メモリ１２に記憶された音量レベルの現在値を変更するとともに、その現在値に対応する補助値を変更することができる。一方、エディットモードでない場合は、フェーダ操作子３１の操作に応じて現在値のみが変更され、補助値は変更されない。また、エディットモードのオンオフにより、フェーダ操作子３１の制御対象は補助値又は音量レベルの現在値のいずれかに切り替わるが、フェーダ操作子３１のつまみ部の位置は、オーバレイモードのオン中でもオフ中でも、また、エディットモードのオン中でもオフ中でも常に、音量レベルの現在値を表す。したがって、オペレータは、あたかも音量レベルの現在値を変更しているかのような操作感覚で、現在の状況に合わせた補助値を決定することができる。また、現在値の変更と補助値の変更とで操作子を使い分ける必要が無い。加えて、前記の実施形態では、操作パネル上に設けられたオーバレイモードスイッチ３５を長押しするだけで簡単にエディットモードを開始できる。したがって、エディットモードオンオフ切り替えという簡単な操作を行うだけで、手間をかけず簡単に、パラメータの現在値を変更するための操作子（例えばフェーダ操作子３１）を使って、メモリ１２に記憶された補助値を変更することができる。
【００３５】
以上、本発明の実施形態を説明したが、本発明は上記実施形態に限定されるものではなく、特許請求の範囲、及び明細書と図面に記載された技術的思想の範囲内において種々の変形が可能である。例えば、オーバレイモード及びエディットモードの開始及び終了操作の方法は、上記実施形態に記載のオーバレイモードスイッチ３５の押し下げ操作及び長押し操作による方法に限らない。また、本発明のパラメータ設定装置において、オペレータにより操作されるパラメータは、前記のようなチャンネル毎の音量レベルに限らず、例えばバスセンドレベル、入力ゲイン、各種エフェクトのパラメータなど、補助値による一時的補助を適用可能なパラメータであれば、他のどのような種類のパラメータでもよい。また、パラメータの現在値を変更指示は、フェーダ操作子３１を用いて行うことに限らず、例えばノブ型操作子３３などのようにミキサ１０の操作パネルに備わるフェーダ操作子３１以外の他の操作子を用いて行うこと、あるいは、リモートコントロールなどでミキサ１０の外部からパラメータの現在値の変更指示の命令を受信する方法など、パラメータに対してその現在値の変更を指示できること、若しくは、該変更を指示できる方法であればどのようなものでもよい。
【００３６】
また、別の実施形態において、チャンネルストリップ３０のスイッチ３２は自照式スイッチで構成されており、前記ステップＳ３で或るチャンネルの或るパラメータに対応する補助値が変更されたとき、ＣＰＵ１１は、該当するチャンネルストリップ３０のスイッチ３２を点灯させるように構成してもよい。これにより補助値が変更されたことを視覚的に通知できる。
【００３７】
また、別の実施形態において、前記ステップＳ３において或るチャンネルの或るパラメータに対応する補助値が変更された後、当該エディットモード中に該当するチャンネルストリップ３０のスイッチ３２が押された場合、ＣＰＵ１１は、該補正値の変更内容をキャンセルして、メモリ１２に記憶された補正値を該変更前の補正値に戻すように構成してもよい。補助値の変更に応じて対応するスイッチ３２を点灯した場合、ＣＰＵ１１は、前記変更内容のキャンセルに応じて、スイッチ３２を消灯すように構成してもよい。
【００３８】
また、前述の実施形態では、図２に示したように、記憶部（メモリ１２のワーク領域）に、パラメータの現在値１００と、補助値１１０とを記憶するデータ保持形式を説明したが、データ保持形式は、どのような形式でもよい。図１２は、データ保持形式の別の例であって、現在値１００と、補助値１１０と、該現在値１００に補助値１１０を加算する以前の値を示す主値１２０とがそれぞれ独立に記憶される例を示す。この場合、オーバレイモードオフ中は主値１２０がそのまま現在値１００としてセットされ、オーバレイモードオン中は、図１２に示すように、主値１２０に補助値１１０を加算した値が新たな現在値１１０としてセットされる。フェーダ操作子３１の操作等により、Δｘ分だけパラメータの現在値の変更指示があった場合、エディットモード中は、該値変更指示に応じて、現在値１００がΔｘ分だけ変更されるとともに、補助値１１０もΔｘ分だけ変更される。この場合、主値１２０は変更されない。また、オーバレイモードオフの場合、及び、オーバレイモードオン中且つエディットモードでない場合は、Δｘ分の値変更指示に応じて、主値１２０と現在値１００とがそれぞれΔｘ分だけ変更され、補助値１２０は変更されない。
【００３９】
また、ミキサ１０は、例えばパーソナルコンピュータやスレートデバイス等のコンピュータ装置において複数チャンネルのオーディオ信号に対するミキシング処理を実現するソフトウェアで構成されてもよく、その場合、図５に例示する操作パネル（チャンネルストリップ３０、オーバレイモードスイッチ３５）は、コンピュータ装置のディスプレイに表示される操作パネル画面により構成される。
【００４０】
また、この発明に係るパラメータ設定装置は、実施形態のようなミキサに適用されることに限らず、例えば、シンセサイザー等の電子楽器の音色を規定するパラメータの現在値に対して補助値を加算する場合などにも適用することができる。
【００４１】
また、この発明は、パラメータ設定装置の発明として実施及び構成することに限らず、記憶部に記憶された動作部の動作を規定するパラメータの現在値と補助値とを変更指示に応じて変更するための方法であって、エディットモードのオンオフを切り替えるステップと、現在値の変更指示に応じて、前記現在値を変更するとともに、前記エディットモード中の場合は、当該変更指示を補助値にも反映させる変更制御ステップとからなる方法の発明として実施及び構成できる。また、この発明は、記憶部に記憶された動作部の動作を規定するパラメータの現在値と補助値とを変更指示に応じて変更するための処理を、コンピュータに実行させるプログラムであって、エディットモードのオンオフを切り替えるステップと、現在値の変更指示に応じて、前記現在値を変更するとともに、前記エディットモード中の場合は、当該変更指示を補助値にも反映させる変更制御ステップとを、前記コンピュータに実行させるプログラムの発明として実施及び構成できる。
【符号の説明】
【００４２】
１０  ミキサ、１１  ＣＰＵ、１２  メモリ、１３  表示部、１４  操作部、１５  信号処理部、１６  オーディオＩ／Ｏ、１７  通信バス、１８  その他Ｉ／Ｏ、２０  入力チャンネル部、２２  ＭＩＸバス、２４  出力チャンネル部、３０  チャンネルストリップ、３１  フェーダ操作子、３２  ボタンスイッチ、３３  ノブ型操作子、３４  ディスプレイ、３５  オーバレイモードスイッチ
【図１】
0006417879.tif 000002
【図２】
0006417879.tif 000003
【図３】
0006417879.tif 000004
【図４】
0006417879.tif 000005
【図５】
0006417879.tif 000006
【図６】
0006417879.tif 000007
【図７】
0006417879.tif 000008
【図８】
0006417879.tif 000009
【図９】
0006417879.tif 000010
【図１０】
0006417879.tif 000011
【図１１】
0006417879.tif 000012
【図１２】
0006417879.tif 000013